(57)【要約】【課題】機器の薄型化や高速に伴う回転精度の維持や回転数の２乗に比例するアンバランスによる耐振動性を確保し、回転精度の維持と長寿命の機器に対応したクランパーのセンタリング機構を提供することを目的とする。【解決手段】本発明のクランパーのセンタリング機構は、モータのシャフトをターンテーブルの上部より飛び出させ、そしてクランパーの中央には、凹部を形成し、そこにシャフトの凸部が挿入できるように配置させる。または、モータのシャフトの先端は、ターンテーブルの上部とほぼ面位置で、そのシャフト中央には穴が設けて有る。クランパーの中央には、凸部を有し、そこにシャフトの穴に挿入自在に配置することにより、ディスクの装着位置とモータの位置を最大限近づけることができ、高速における回転精度の維持と耐振動に強く、長寿命で薄型の機器を実現させるものである。【選択図】　図１
2004014070.tif 000002
【特許請求の範囲】
【請求項１】
ＣＤやＤＶＤの光ディスクを保持するターンテーブルを備えたモータで、前記光ディスクを前記ターンテーブルに磁気吸引力で押え装着するクランパーを有し、そのクランパーを回転軸に対し、センタリングするためにモータのシャフトを前記ターンテーブルの上部より飛び出させ前記クランパーの中央には、凹みが有り、そこに前記シャフトの飛び出し部が挿入自在に配置されたクランパーのセンタリング機構。
【請求項２】
前記モータのシャフトの先端は、前記ターンテーブルの上部とほぼ面位置にあり、そのシャフト中央には穴が設けて有り、前記クランパーの中央には、凸部を有し、そこに前記シャフトの穴に挿入自在に配置されたクランパーのセンタリング機構。
【発明の詳細な説明】
【０００１】
【発明の属する技術分野】
本発明は、特に、ＣＤ−ＲＯＭ、ＣＤやＭＤ等のディスク回転伝達に用いるスピンドルモータのクランパーのセンタリング機構に関する。
【０００２】
【従来の技術】
近年、ＣＤ−ＲＯＭやＤＶＤは、データの転送速度の高速化が求められている。それらに使用されるスピンドルモータも高速の回転数となり、低振動と長寿命が求められている。従来、この種のスピンドルモータのクランパーセンタリング機構は、特開平１１−９８７５９号公報や特開２００１−３７１４１号公報に記載された構造のクランパーのセンタリング機構が一般に知られている。
【０００３】
以下に、図面を参照しながら従来モータの構造の一例について説明する。
【０００４】
図５は、特開平１１−９８７５９号公報に記載の従来のクランパーのセンタリング機構を示す断面図である。図６は、センタリング機構部の拡大図である。図５において、１は回転伝達を行うシャフト、２はターンテーブル、３はクランパーを磁気吸引するためのヨーク、４はＣＤやＤＶＤ等の光ディスク、５はクランパー、６はバックヨーク、７は吸引力を得るためのマグネット、８はクランパーのセンタリング機構部である。１０はターンテーブルに設けられたシャフト圧入部とほぼ同径の凹部、１１はクランパー側に設けられた凸部である。モータからの回転力を伝達するシャフト１にターンテーブル２が圧入されていてディスク４の内径を調芯し装着する。ターンテーブル２には、鉄で構成されたヨーク３があり、クランパー５に配設されたバックヨーク６とマグネット７で磁気吸引力を発生させ、前記ディスク４をターンテーブル面へ抑えつけ固定し、モータの回転力で回転させる。
【０００５】
【発明が解決しようとする課題】
しかしながら上記のような構成では、クランパーの凸部１１がターンテーブルの凹部１０に挿入されるためシャフト１をターンテーブル上部まで伸ばすことができず、シャフト１とターンテーブル２の圧入スパンを下方側に伸ばす必要が有り、図５に示すＡ寸法の距離が長くなる。したがってディスク４の装着位置がモータ部と離れ、機器の薄型化や高速に伴う回転精度の維持や回転数の２乗に比例するアンバランスによる耐振動性に劣り、ディスク上のデータを正確に読み取ることができないという不具合や機器の寿命を著しく低下させるという課題を有していた。
【０００６】
本発明は、高速における回転精度の維持と耐振動に強く、長寿命で薄型の機器に対応したクランパーのセンタリング機構を提供することを目的とする。
【０００７】
【課題を解決するための手段】
この目的を達成するために本発明のクランパーのセンタリング機構は、ディスクの装着位置とモータの位置を最大限近づけることにより、高速における回転精度の維持と耐振動に強く、長寿命で薄型の機器を実現させるものである。
【０００８】
【発明の実施の形態】
本発明の請求項１に記載の発明は、ＣＤやＤＶＤのディスクを保持するターンテーブルを備えたモータで、ディスクをターンテーブルに磁気吸引力で押え装着するクランパーの中央部に凹部を設け、センタリングするためにモータのシャフトを前記ターンテーブルの上部より飛び出させクランパーの凹部に挿入自在に配置したセンタリング機構である。
【０００９】
本発明の請求項２に記載の発明は、モータのシャフトの先端中央に、穴が設けて有り、逆にクランパーの中央には、凸部を有し、そこにシャフトの穴に挿入自在に配置したクランパーのセンタリング機構である。
【００１０】
【実施例】
以下、本発明の実施例について図を参照して説明する。
【００１１】
（実施例１）
図１は、本発明のクランパーのセンタリング機構の実施例１を示す断面図であり、本発明の図２は、センタリング機構部の拡大図である。図１において、１は回転伝達を行うシャフト、２はターンテーブル、３はクランパーを磁気吸引するためのヨーク、４はＣＤやＤＶＤ等の光ディスク、５はクランパー、６はバックヨーク、７は吸引力を得るためのマグネット、８はクランパーのセンタリング機構部であり、センタリングするためにモータのシャフトをターンテーブルの上部より飛び出させた凸部１２、クランパーの中央には、凹部１３が有り、そこにシャフトの凸部が挿入できるように配置してある。そしてモータからの回転力を伝達するシャフト１にそのターンテーブル２が圧入されていてディスク４の内径を調芯し装着する。前記ターンテーブル２には、鉄で構成されたヨーク３があり、クランパー５に配設されたバックヨーク６とマグネット７で磁気吸引力を発生させ、前記ディスク４をターンテーブル面へ抑えつけ固定し、モータの回転力で回転させる。
【００１２】
（実施例２）
図３は、本発明のクランパーのセンタリング機構の実施例２を示す断面図であり、本発明の図４は、センタリング機構部の拡大図である。図３において、１は回転伝達を行うシャフト、２はターンテーブル、３はクランパーを磁気吸引するためのヨーク、４はＣＤやＤＶＤ等の光ディスク、５はクランパー、６はバックヨーク、７は吸引力を得るためのマグネット、８はクランパーのセンタリング機構部である。モータのシャフトの先端は、ターンテーブルの上部とほぼ面位置で、そのシャフト中央には穴１４が設けて有る。クランパーの中央には、凸部１５を有し、そこにシャフトの穴に挿入自在に配置してある。そしてモータからの回転力を伝達するシャフト１にそのターンテーブル２が圧入されていてディスク４の内径を調芯し装着する。前記ターンテーブル２には、鉄で構成されたヨーク３があり、クランパー５に配設されたバックヨーク６とマグネット７で磁気吸引力を発生させ、前記ディスク４をターンテーブル面へ抑えつけ固定し、モータの回転力で回転させる。
【００１３】
【発明の効果】
モータのシャフトをターンテーブルの上部より飛び出させ、そしてクランパーの中央には、凹部を形成し、そこにシャフトの凸部が挿入できるように配置させる。または、モータのシャフトの先端は、ターンテーブルの上部とほぼ面位置で、そのシャフト中央には穴が設けて有る。クランパーの中央には、凸部を有し、そこにシャフトの穴に挿入自在に配置することにより、ターンテーブルを圧入固定するための圧入スパンをターンテーブル下部に設ける必要が無くなる。すなわち図１、図３で示すディスクの装着位置とモータの位置のＡ寸法を最大限近づけることができ、高速における回転精度の維持と耐振動に強く、長寿命で薄型の機器を実現できる。
【図面の簡単な説明】
【図１】本発明の実施例１におけるクランパーのセンタリング機構の断面図
【図２】本発明の実施例１におけるセンタリング機構部の拡大図
【図３】本発明の実施例２におけるクランパーのセンタリング機構の断面図
【図４】本発明の実施例２におけるセンタリング機構部の拡大図
【図５】従来のモータにおけるクランパーのセンタリング機構の断面図
【図６】従来のモータにおけるセンタリング機構部の拡大図
【符号の説明】
１　シャフト
２　ターンテーブル
３　ヨーク
４　ディスク
５　クランパー
６　バックヨーク
７　マグネット
８　センタリング機構
９　モータ
１０　ターンテーブル凹部
１１　クランパー凸部
１２　シャフトの凸部
１３　クランパー凹部
１４　シャフト穴
１５　クランパー凸部
【図１】
2004014070.tif 000003
【図２】
2004014070.tif 000004
【図３】
2004014070.tif 000005
【図４】
2004014070.tif 000006
【図５】
2004014070.tif 000007
【図６】
2004014070.tif 000008